(57)【要約】      （修正有）【課題】筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られるボールペンを提供する。【解決手段】受け座部材４が、軸方向に貫通する内孔４ｂを備えた筒状体であり、支持部材５が、軸方向に貫通する内孔５１を備えた筒状体である。受け座部材４の内孔４ｂと支持部材５の内孔５１が連通される。筒体２の内面に、受け座部材４の前方移動を規制する規制壁部２４が形成される。比較的小さな筆圧で筆記した際、受け座部材４の前方移動が規制壁部２４により規制された状態にあり、比較的大きな筆圧で筆記した際、前記支持部材５が圧縮変形して、受け座部材４が後方に移動可能に構成される。【選択図】図２
2019010844.tif 000002
【特許請求の範囲】
【請求項１】
金属製の筒体の前端に形成された内向きの前端縁部と、
前記前端縁部の後方の筒体内に前後方向に移動可能に収容され且つ前端にボール受け座を有する受け座部材と、
前記前端縁部と前記受け座部材との間で回転可能に抱持されたボールと、
前記筒体内の前記受け座部材の後方に配置され、前記受け座部材の後端を支持する弾性変形可能な支持部材と、を備えたボールペンであって、
前記受け座部材が、軸方向に貫通する内孔を備えた筒状体であり、
前記支持部材が、軸方向に貫通する内孔を備えた、前記受け座部材より軟質の材料からなる筒状体であり、
前記受け座部材の後端と前記支持部材の前端とが当接され、前記受け座部材の内孔と前記支持部材の内孔が連通されてなり、
前記筒体の内面に、前記受け座部材の前方移動を規制する規制壁部が形成され、
前記筒体の内面または前記筒体の後端部が保持されるペン先保持部の内面に、前記支持部材の後端が係止される係止壁部が形成され、
比較的小さな筆圧で筆記した際、前記受け座部材の前方移動が規制壁部により規制された状態にあり、
比較的大きな筆圧で筆記した際、前記支持部材が圧縮変形して、前記受け座部材が後方に移動可能に構成されることを特徴とするボールペン。
【請求項２】
前記受け座部材の外面が前記筒体の内面を前後方向に摺動可能に構成される請求項１に記載のボールペン。
【請求項３】
前記支持部材が、非多孔質の合成樹脂からなる請求項１または２に記載のボールペン。
【発明の詳細な説明】
【技術分野】
【０００１】
本発明は、ボールペンに関する。
【背景技術】
【０００２】
この種のボールペンにおいて、特許文献１には、先端小口部でボールを抱持するパイプ状チツプを取り付けたチツプホルダーの中心孔内に、前記ボールの後側にその先端が当接する合成樹脂製棒状体、該棒状体を介し前記ボールを前方に付勢する弾性含液体、該弾性含液体とインキ接続するインキ誘導部材を順次挿入してなるとともに、少なくとも前記ボールがその先端を前記パイプ状チツプの先端と面一となる迄後方変位することを妨げないよう、前記パイプ状チツプの中心孔の少なくとも先部における径を前記ボールの径より大きく形成してなるボールペン先部が開示されている。
【先行技術文献】
【特許文献】
【０００３】
【特許文献１】実公平２−３０６号公報
【発明の概要】
【発明が解決しようとする課題】
【０００４】
前記特許文献１のボールペンは、筆記時、弾性含侵体に保持されたインキが弾性含侵体の収縮により前方に移行する構造である。
そのため、前記特許文献１のボールペンは、比較的小さな筆圧で筆記した際、弾性含侵体の圧縮変形量が少なく、チップ先端からのインキ吐出量が不足し、筆跡途切れが生じるおそれがある。また、前記特許文献１のボールペンは、比較的大きな筆圧で筆記した際、弾性含侵体が極端に大きく圧縮されて、インキがチップ先端から過剰に吐出するおそれがある。
【０００５】
また、前記特許文献１のボールペンは、一定の筆圧でチップ先端を紙面から離さず連続して筆記した場合、チップ先端からのインキ吐出量が次第に不足し、筆跡途切れが生じるおそれがある。
【０００６】
本発明は、前記従来の問題点を解決するものであって、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られるボールペンを提供しようとするものである。
本発明で、「前」とは、ペン先のボール側を指し、「後」とは、その反対側を指す。
【課題を解決するための手段】
【０００７】
本願の第１の発明は、金属製の筒体２の前端に形成された内向きの前端縁部３と、前記前端縁部３の後方の筒体２内に前後方向に移動可能に収容され且つ前端にボール受け座４ａを有する受け座部材４と、前記前端縁部３と前記受け座部材４との間で回転可能に抱持されたボール６と、前記筒体２内の前記受け座部材４の後方に配置され、前記受け座部材４の後端を支持する弾性変形可能な支持部材５と、を備えたボールペンであって、前記受け座部材４が、軸方向に貫通する内孔４ｂを備えた筒状体であり、前記支持部材５が、軸方向に貫通する内孔５１を備えた、前記受け座部材４より軟質の材料からなる筒状体であり、前記受け座部材４の後端と前記支持部材５の前端とが当接され、前記受け座部材４の内孔４ｂと前記支持部材５の内孔５１が連通されてなり、前記筒体２の内面に、前記受け座部材４の前方移動を規制する規制壁部２４が形成され、前記筒体２の内面または前記筒体２の後端部が保持されるペン先保持部７の内面に、前記支持部材５の後端が係止される係止壁部２５が形成され、比較的小さな筆圧で筆記した際、受け座部材４の前方移動が規制壁部２４により規制された状態にあり、比較的大きな筆圧で筆記した際、前記支持部材５が圧縮変形して、前記受け座部材４が後方に移動可能に構成されることを要件とする。
【０００８】
前記第１の発明のボールペン１は、前記受け座部材４が、軸方向に貫通する内孔４ｂを備えた筒状体であり、前記支持部材５が、軸方向に貫通する内孔５１を備えた、前記受け座部材４より軟質の材料からなる筒状体であり、前記受け座部材４の後端と前記支持部材５の前端とが当接され、前記受け座部材４の内孔４ｂと前記支持部材５の内孔５１が連通されてなり、前記筒体２の内面に、前記受け座部材４の前方移動を規制する規制壁部２４が形成され、前記筒体２の内面または前記筒体２の後端部が保持されるペン先保持部７の内面に、前記支持部材５の後端が係止される係止壁部２５が形成され、比較的小さな筆圧で筆記した際、受け座部材４の前方移動が規制壁部２４により規制された状態にあり、比較的大きな筆圧で筆記した際、前記支持部材５が圧縮変形して、前記受け座部材４が後方に移動可能に構成されることにより、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られる。
【０００９】
本願の第２の発明は、前記第１の発明のボールペン１において、前記受け座部材４の外面が前記筒体２の内面を前後方向に摺動可能に構成されることを要件とする。
【００１０】
前記第２の発明のボールペン１は、前記受け座部材４の外面が前記筒体２の内面を前後方向に摺動可能に構成されることにより、筆記時、ボール受け座４ａが筒体２の軸心から大きく外れることがないため、ボール６の安定した回転が得られる。
【００１１】
本願の第３の発明は、前記第１または第２の発明のボールペン１において、前記支持部材５が、非多孔質の合成樹脂からなることを要件とする。
【００１２】
前記第３の発明のボールペン１は、前記支持部材５が、非多孔質の合成樹脂からなることにより、より一層、筆圧の大小にかかわらず、インキの吐出量不足やインキの過剰流出のおそれがなく、適正なインキ吐出性が得られる。
【発明の効果】
【００１３】
本発明のボールペンは、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られる。
【図面の簡単な説明】
【００１４】
【図１】本発明の実施の形態の非筆記状態を示す要部縦断面図である。
【図２】図１の要部拡大縦断面図である。
【図３】図２のＡ−Ａ線拡大断面図である。
【図４】図１のボールペンを用いて小さな筆圧で筆記した際の要部拡大縦断面図である。
【図５】図１のボールペンを用いて大きな筆圧で筆記した際の要部拡大縦断面図である。
【発明を実施するための形態】
【００１５】
本発明の実施の形態を図１乃至図５に示す。
本実施の形態のボールペン１は、前端に回転可能にボール６が抱持された金属製の筒体２と、該筒体２を前端部に保持する合成樹脂製のペン先保持部７とを備える。
【００１６】
・筒体
筒体２は、金属製（例えば、ＳＵＳ３０４等のオーステナイト系のステンレス鋼製）の円筒状体からなる。
前記筒体２は、直円筒状の小径部２１と、前記小径部２１より大きな外径を有する直円筒状の大径部２２と、前記小径部２１と前記大径部２２とを接続し且つ後方に向かい次第に拡径するテーパ部２３と、を備える。前記小径部２１、前記テーパ部２３、及び前記大径部２２が、一体に形成される。
【００１７】
前記筒体２の前端部（前記小径部２１の前端部）には、内向きの環状の内向突起よりなる前端縁部３が一体に形成される。前記前端縁部３の最小内径は、ボール６の直径より小さく設定される。前記筒体２の前端部（前記小径部２１の前端部）の内径は、ボール６が回転可能に抱持されるよう、ボール６より僅かに大きく設定される。
【００１８】
テーパ部２３の内面によって、受け座部材４の傾斜面部４３が当接可能な規制壁部２４が構成される。大径部２２の内面には、内向突起が一体に形成され、内向突起により、支持部材５が当接可能な係止壁部２５が構成される。前記係止壁部２５は、環状の内向突起、または複数の周状に分散配置された複数の内向突起が挙げられる。
【００１９】
・ボール
ボール６の材質は、特に限定されないが、一般に金属またはセラミックスからなるものが用いられる。前記ボール６は、例えば、炭化タングステン、酸化ジルコニウム、酸化アルミニウム、酸化ケイ素、炭化ケイ素などのセラミックスやステンレス鋼などの金属が用いられる。また、前記ボール６は、セラミックスと金属性結合材とからなる超硬合金を用いてもよい。このような超硬合金としては、タングステンカーバイトと、コバルトまたはニッケルなどの金属性結合材とからなるものが知られている。
【００２０】
ボール６は、直径０．３ｍｍ〜２．０ｍｍの範囲内のものが採用される。ボール６は、例えば、直径０．５ｍｍ、０．６ｍｍ、０．７ｍｍ、１．０ｍｍのものが採用される。
【００２１】
・受け座部材
受け座部材４は、金属製（例えば、ＳＵＳ３０４等のオーステナイト系のステンレス鋼製）の円筒状体からなり、軸方向に内孔４ｂが貫通される。前記受け座部材４は、直円筒状の細径部４１と、前記細径部４１より大きな外径を有する直円筒状の太径部４２と、前記細径部４１と前記太径部４２とを接続し且つ後方に向かい漸次拡径する傾斜面部４３と、を備える。前記細径部４１、前記傾斜面部４３、及び前記太径部４２が、一体に形成される。なお、前記受け座部材４の材質は、硬質の合成樹脂製（例えば、ポリアセタール樹脂製）であってもよい。
【００２２】
前記受け座部材４は、前端にボール受け座４ａを備える。前記受け座部材４の前端部に、軸方向に延びる複数（例えば4本）のインキ流通溝４ｃが形成される。前記インキ流通溝４ｃの各々は、周方向に等間隔に配置される。前記インキ流通溝４ｃの各々は、軸方向前方及び径方向内方に開口される。本実施の形態では、径方向に貫通され、それにより、容易にインキ流通溝４ｃを形成できるとともに、ボール受け座４ａ近傍において潤沢にインキを保持することが可能となり、その結果、一層、ボール６への安定したインキ供給が可能となる。受け座部材４の外径は、支持部材５の外面と筒体２の内面と摺動可能な寸法に設定される。
【００２３】
・支持部材
支持部材５は、受け座部材４よりも軟質な材料からなり、例えば、軟質の合成樹脂、合成ゴム、または合成樹脂のエラストマー等により得られる。支持部材５は、弾性変形可能である。支持部材５は、円筒体または環状であり、内部に内孔５１が軸方向に貫通される。支持部材５は、筒体２内に収容される。支持部材５の前端と受け座部材４の後端が当接され、それにより、支持部材５の内孔５１と受け座部材４の内孔４ｂが連通される。支持部材５の前端と受け座部材４の後端とが環状に当接され、それにより、支持部材５の内孔５１から受け座部材４の内孔４ｂへのスムーズなインキ流通が可能となる。
【００２４】
前記支持部材５の後端は、前記筒体２の大径部２２の内面に形成された係止壁部２５に係止され、前記支持部材５の後方移動が阻止される。尚、前記支持部材５の後端が当接可能な係止壁部２５はペン先保持部７内面に形成される構成でもよい。前記支持部材５の前端は、受け座部材４の後端に当接される。前記支持部材５は、筒体２の後端開口部内面に圧入される。
【００２５】
筆記時、筆圧によりボール６が後方に押圧されると、受け座部材４が後退されるとともに、支持部材５が前後方向に圧縮弾性変形される。弾性変形可能な軟質材料よりなる支持部材５によって、筆記時、ソフトな筆記感と抑揚のある筆跡が得られる。
本実施の形態は、非筆記時、前端縁部３内面とボール受け座４ａとにボール３が同時に接触しない構成である。
図４の示すように、比較的小さな筆圧で筆記した場合、弾発部材８の前方付勢に抗してボール６が後退され、受け座部材４の前方移動が規制壁部２４に規制された状態にあり、ボール６と前端縁部３との比較的小さな隙間から比較的少量のインキが吐出され、比較的細幅の筆跡が得られる。
図５の示すように、比較的大きな筆圧で筆記した場合、受け座部材４が後退し、支持部材５が圧縮変形し、受け座部材４と規制壁部２４との当接が解除され、ボール６と前端縁部３との比較的大きな隙間から比較的多量のインキが吐出され、比較的太幅の筆跡が得られる。
【００２６】
・ペン先保持部
ペン先保持部７は、合成樹脂の成形体からなり、前端部に筒体２が保持可能な保持孔７１を備える。前記保持孔７１の底部には、筒体２の後端が当接可能な当接壁部７２が一体に形成される。前記保持孔７１の後方にはインキ流通孔が連設される。
ペン先保持部７の内面（インキ流通孔の内面）には、ボール６を前方に付勢する弾発部材８が係止される弾発部材係止部７３が形成される。弾発部材係止部７３は、内向突起よりなる。前記弾発部材係止部７３は、環状の内向突起、または複数の周状に分散配置された複数の内向突起が挙げられる。
【００２７】
・弾発部材
弾発部材８は、圧縮コイルスプリングのコイル部８２と、該コイル部８２の前端より前方に延びるストレート部８１とからなる。前記ストレート部８１の前端がボール６の後面に当接され、前記コイル部８２の後端が弾発部材係止部７３に係止される。
【００２８】
本実施の形態のボールペン１は、前記受け座部材４が、軸方向に貫通する内孔４ｂを備えた筒状体であり、前記支持部材５が、軸方向に貫通する内孔５１を備えた、前記受け座部材４より軟質の材料からなる筒状体であり、前記受け座部材４の後端と前記支持部材５の前端とが当接され、前記受け座部材４の内孔４ｂと前記支持部材５の内孔５１が連通されてなり、前記筒体２の内面に、前記受け座部材４の前方移動を規制する規制壁部２４が形成され、前記筒体２の内面または前記筒体２の後端部が保持されるペン先保持部７の内面に、前記支持部材５の後端が係止される係止壁部２５が形成され、ボール６を前方に付勢する弾発部材８が、前記受け座部材４の内孔４ｂ及び前記支持部材５の内孔５１を貫通して設けられ、比較的小さな筆圧で筆記した際、弾発部材８の前方付勢に抗してボール６が後退され、受け座部材４の前方移動が規制壁部２４により規制された状態にあり、比較的大きな筆圧で筆記した際、前記弾発部材８及び前記支持部材５が圧縮変形して、前記受け座部材４が後方に移動可能に構成されることにより、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られる。
【００２９】
本実施の形態のボールペン１は、前記受け座部材４の外面が前記筒体２の内面を前後方向に摺動可能に構成されることにより、筆記時、ボール受け座４ａが筒体２の軸心から大きく外れることがないため、ボール６の安定した回転が得られる。
【００３０】
本実施の形態のボールペン１は、前記支持部材５が、非多孔質の合成樹脂からなることにより、より一層、筆圧の大小にかかわらず、インキの吐出量不足やインキの過剰流出のおそれがなく、適正なインキ吐出性が得られる。
【００３１】
尚、本発明のボールペン１は、弾発部材８を設けない構成でもよい。
【符号の説明】
【００３２】
１  ボールペン
２  筒体
２１  小径部
２２  大径部
２３  テーパ部
２４  規制壁部
２５  係止壁部
３  前端縁部
４  受け座部材
４ａ  ボール受け座
４ｂ  内孔
４ｃ  インキ流通溝
４１  細径部
４２  太径部
４３  傾斜面部
５  支持部材        
５１  内孔
６  ボール
７  ペン先保持部
７１  保持孔
７２  当接壁部
７３  弾発部材係止部
８  弾発部材
８１  ストレート部
８２  コイル部
【図１】
2019010844.tif 000003
【図２】
2019010844.tif 000004
【図３】
2019010844.tif 000005
【図４】
2019010844.tif 000006
【図５】
2019010844.tif 000007